(57)【要約】【課題】ショーケースによる外観の変更に要する時間及び費用を削減できる照明システム及びショーケースを提供する。【解決手段】商品陳列部１２と露出壁面１１とを有する複数のショーケース１と、複数のショーケース１と接続され、有線通信又は無線通信によって複数のショーケース１の制御を行う統括制御部とを備え、露出壁面１１の一部又は全部が、発光状態が変更可能な面状発光部であり、統括制御部は、面状発光部の発光状態を変更するよう制御する。【選択図】図１
2013059375.tif 000002
【特許請求の範囲】
【請求項１】
商品陳列部と露出壁面とを有する複数のショーケースと、
前記複数のショーケースと接続され、有線通信又は無線通信によって前記複数のショーケースの制御を行う統括制御部とを備え、
前記露出壁面の一部又は全部が、発光状態が変更可能な面状発光部であり、
前記統括制御部は、前記面状発光部の発光状態を変更するよう制御することを特徴とする照明システム。
【請求項２】
前記露出壁面における発光状態を変更する対象となるショーケースを選択する選択部を備え、
前記統括制御部は、前記選択部により選択されたショーケースの前記面状発光部の発光状態を変更するよう制御すること
を特徴とする請求項１に記載の照明システム。
【請求項３】
前記面状発光部における発光状態の時間的な変化を表すスケジュール情報を記憶するスケジュール記憶部を備え、
前記統括制御部は、前記スケジュール情報に基づいて、前記面状発光部の発光状態を変更するよう制御すること
を特徴とする請求項１又は請求項２に記載の照明システム。
【請求項４】
前記ショーケースは、前記統括制御部とは独立して、前記面状発光部における発光状態を制御する個別制御部を備えることを特徴とする請求項１乃至請求項３の何れか一項に記載の照明システム。
【請求項５】
前記面状発光部は、ＬＥＤパネルで構成されたことを特徴とする請求項１乃至請求項４の何れか一項に記載の照明システム。
【請求項６】
請求項１乃至請求項５の何れか一項に記載の照明システムに用いられるショーケース。
【発明の詳細な説明】
【技術分野】
【０００１】
本発明は、商品等を陳列するための照明システム及びショーケースに関する。
【背景技術】
【０００２】
従来より、商品等を陳列するショーケースが、下記の特許文献１や特許文献２などにて知られている。
【０００３】
特許文献１には、設置すべき店舗内装の雰囲気や他のショーケースの色合いにマッチした色合いに塗装した化粧外板を、ショーケースの商品収納部の外周を覆うように取り付けることが記載されている。
【０００４】
特許文献２には、ショーケースのケース本体の左右両側に配した透明材質の側板を利用して効果的な演出照明とアピール性の向上を図ることが記載されている。このために、商品陳列棚を備えたケース本体の左右側面の側板を導光板として使用し、光源の光により側板の前端面を、ショーケースの運転モード（コールド運転（寒色（青色））、ホット運転（暖色（赤色）））に合わせてライティングさせている。
【先行技術文献】
【特許文献】
【０００５】
【特許文献１】実開平７−１４９６０号公報
【特許文献２】特開２００６−３３４２７５号公報
【発明の概要】
【発明が解決しようとする課題】
【０００６】
しかしながら、上述したショーケースにおいては、必要な外観が多岐に渡り、それぞれに対応したショーケースを揃えることはコスト増に繋がってしまう。また、店舗イメージや陳列商品の変更に伴いショーケースを交換する必要がある場合には、当該交換するために多くの時間、費用がかかる。更に、店舗の改装サイクルを短くすると、さらに多くの費用が発生してしまう。
【０００７】
そこで、本発明は、上述した実情に鑑みて提案されたものであり、ショーケースによる外観の変更に要する時間及び費用を削減できる照明システム及びショーケースを提供することを目的とする。
【課題を解決するための手段】
【０００８】
本発明の第１の態様に係る照明システムは、商品陳列部と露出壁面とを有する複数のショーケースと、前記複数のショーケースと接続され、有線通信又は無線通信によって前記複数のショーケースの制御を行う統括制御部とを備え、前記露出壁面の一部又は全部が、発光状態が変更可能な面状発光部であり、前記統括制御部は、前記面状発光部の発光状態を変更するよう制御することを特徴とする。
【０００９】
本発明の第２の態様に係る照明システムは、上記第１の態様の照明システムに対し、前記露出壁面における発光状態を変更する対象となるショーケースを選択する選択部を備え、前記統括制御部は、前記選択部により選択されたショーケースの前記面状発光部の発光状態を変更するよう制御することを特徴とする。
【００１０】
本発明の第３の態様に係る照明システムは、上記第１又は第２の態様の照明システムに対し、前記面状発光部における発光状態の時間的な変化を表すスケジュール情報を記憶するスケジュール記憶部を備え、前記統括制御部は、前記スケジュール情報に基づいて、前記面状発光部の発光状態を変更するよう制御することを特徴とする。
【００１１】
本発明の第４の態様に係る照明システムは、上記第１〜第３の何れかの態様の照明システムに対し、前記ショーケースは、前記統括制御部とは独立して、前記面状発光部における発光状態を制御する個別制御部を備えることを特徴とする。
【００１２】
本発明の第５の態様に係る照明システムは、上記第１〜第４の何れかの態様の照明システムに対し、前記面状発光部は、ＬＥＤパネルで構成されたことを特徴とする。
【００１３】
本発明の第６の態様に係るショーケースは、上記第１〜第５の何れかの態様の照明システムに用いられるものである。
【発明の効果】
【００１４】
本発明によれば、複数のショーケースにおける露出壁面の一部又は全部を、発光状態が変更可能な面状発光部とし、当該面状発光部の発光状態を変更するので、ショーケースが多数であっても、外観の変更に要する時間及び費用を削減できる。
【図面の簡単な説明】
【００１５】
【図１】本発明の第１実施形態として示す照明システムにおけるショーケースを示す斜視図である。
【図２】本発明の第１実施形態として示す照明システムにおける機能的な構成を示すブロック図である。
【図３】本発明の第１実施形態として示す照明システムにおいて色を選択する様子を示す図である。
【図４】本発明の第２実施形態として示す照明システムにおいて、ＩＤが付された複数のショーケースを示す斜視図である。
【図５】本発明の第２実施形態として示す照明システムにおける機能的な構成を示すブロック図である。
【図６】本発明の第３実施形態として示す照明システムにおける機能的な構成を示すブロック図である。
【図７】本発明の第４実施形態として示す照明システムにおける機能的な構成を示すブロック図である。
【発明を実施するための形態】
【００１６】
以下、本発明の実施の形態について図面を参照して説明する。
【００１７】
［第１実施形態］
本発明の第１実施形態として示す照明システムは、例えば図１に示すように構成される。この照明システムは、複数台のショーケース１−Ａ，・・・，１−Ｎ，・・・（以下、総称する場合には単に「ショーケース１」と呼ぶ。）を含んで構成される。ショーケース１は、露出壁面１１と、商品陳列部１２とを有する。
【００１８】
商品陳列部１２は、複数の棚からなる。商品陳列部１２は、複数の棚に商品が載せられる。この商品陳列部１２は、例えばショーケース１が冷凍ショーケースである場合には、冷凍食品等を陳列する。
【００１９】
露出壁面１１は、前面上方露出面１１ａ、側面露出面１１ｂ、第１前面下方露出面１１ｃ、第２前面下方露出面１１ｄを含む。これら前面上方露出面１１ａ、側面露出面１１ｂ、第１前面下方露出面１１ｃ、第２前面下方露出面１１ｄは、一部又は全部の発光状態が変更可能な面状発光部とされる。露出壁面１１の内側には、ＬＥＤ（Light Emitting Diode）等の光源が設けられている。このＬＥＤは、後述する統括制御部によって、その動作が制御される。これにより、露出壁面１１は、その発光状態が変更可能とされる。
【００２０】
なお、面状発光部は、上記のように露出壁面はあくまでアクリル等の壁面であってその内側に発光部があってもよく、露出壁面そのものが発光する構成であってもよく、本実施形態では何れかに限定するものではない。
【００２１】
照明システムは、その機能的な構成が図２に示すようになる。照明システムは、複数台のショーケース１−Ａ，・・・，１−Ｎ，・・・に接続された統括制御部２１を備える。この統括制御部２１は、有線通信又は無線通信によって複数台のショーケース１−Ａ，・・・，１−Ｎ，・・・の制御を行う。
【００２２】
統括制御部２１は、表示・操作部２２と、通信部２３とを含む。なお、統括制御部２１は、図示しないが、内部に表示・操作部２２及び通信部２３を駆動するためのＣＰＵやメモリ等を備える。
【００２３】
表示・操作部２２は、ショーケース１における露出壁面１１の発光状態を制御するための制御画面を表示する。表示・操作部２２は、制御画面が表示された状態で、ユーザによって発光状態の変更操作が行われる。この発光状態の変更操作としては、ショーケース１のうちで発光状態の変更が行われる露出壁面１１の指定操作、当該露出壁面１１の発光状態の指定操作を含む。この露出壁面１１の発光状態の指定操作は、例えば図３に示すような色パネルを表示させる。この状態において、ａ方向、ｂ方向、ｃ方向における座標がユーザによって選択されることによって、統括制御部２１は、露出壁面１１の発光状態を特定する。表示・操作部２２は、当該ショーケース１に含まれた発光状態の変更対象の露出壁面１１のＩＤ、当該露出壁面１１の発光状態（色、色温度、明るさ）という各情報を生成する。
【００２４】
通信部２３は、所定の通信プロトコルに従って複数台のショーケース１−Ａ，・・・，１−Ｎ，・・・との間で通信を行う。統括制御部２１は、通信部２３の通信によって、表示・操作部２２によって指定操作された結果に基づいて、ショーケース１の発光状態を制御する。通信部２３は、制御コマンドに、ショーケース１に含まれた発光状態の変更対象の露出壁面１１のＩＤ、当該露出壁面１１の発光状態という各情報を含める。
【００２５】
ショーケース１は、通信部１３、個別制御部１４、照明器具１５を備える。
【００２６】
照明器具１５は、ユーザによって発光状態を変更したい露出壁面１１の裏面側等に設けられている。照明器具１５としては、例えばＬＥＤパネルや有機ＥＬパネル等を用いることができる。
【００２７】
また、照明器具１５は、露出壁面１１の発光状態を変更するのみならず、商品陳列部１２の照明状態を変更可能としてもよい。この照明器具１５は、商品陳列部１２側に向けて光が照射されるよう設置されている。この照明器具１５は、露出壁面１１の発光状態を変更するものと同様に、ＬＥＤや有機ＥＬ等からなる。照明器具１５は、商品陳列部１２における色や明るさを変更するよう個別制御部１４によって制御される。また、照明システムにおいては、商品陳列部１２の照明色や明るさを変更するよう統括制御部２１によって制御可能としてもよい。
【００２８】
通信部１３は、所定の通信プロトコルに従って、統括制御部２１の通信部２３との間で通信を行う。通信部１３は、統括制御部２１から、制御コマンドを受信する。この制御コマンドには、ショーケース１に含まれた発光状態の変更対象の露出壁面１１のＩＤ、当該露出壁面１１の発光状態という各情報が含められている。
【００２９】
個別制御部１４は、通信部１３により受信した制御コマンドに従って、露出壁面１１の発光状態を変更するよう照明器具１５を制御する。個別制御部１４は、制御コマンドに含まれた発光状態の変更対象の露出壁面１１のＩＤに従って、当該露出壁面１１に対応する照明器具１５の動作を制御する。このとき、個別制御部１４は、制御コマンドに含まれた露出壁面１１の発光状態に従って照明器具１５の発光状態（色、色温度、明るさ）を制御する。
【００３０】
また、個別制御部１４は、ＬＥＤ等の複数の光源によって、露出壁面１１の面発光を実現する場合、上述した実施形態のように露出壁面１１の全体の色を制御してもよく、その他の様々な態様に制御可能である。個別制御部１４は、複数のＬＥＤのうち、それぞれのＬＥＤを制御することによって、例えば壁面の模様を縞模様や木目調にしたり、矢印や文字を表示する、といった制御も可能である。これにより、この照明システムによれば、ショーケース１によって店舗のイメージチェンジの幅を広げることができる。
【００３１】
以上のように、この照明システムによれば、複数台のショーケース１−Ａ，・・・，１−Ｎ，・・・に統括制御部２１を接続し、各複数台のショーケース１−Ａ，・・・，１−Ｎ，・・・の個別制御部１４によって、露出壁面１１の発光状態を個別に制御できる。すなわち、この照明システムによれば、ショーケース１における露出壁面１１の一部又は全部を、発光状態が変更可能な面状発光部とし、当該面状発光部の発光状態を変更する。これにより、この照明システムによれば、統括制御部２１に対してユーザが操作を行うのみでショーケース１の外観を変更でき、ショーケース１による外観の変更に要する時間及び費用を削減できる。
【００３２】
具体的には、ショーケース１の外観を変更することによって、店舗の冷凍ショーケース店舗イメージや陳列商品といった外観色を工夫することができ、顧客の購買意欲を向上できる。また、この照明システムによれば、ショーケースとして多色のラインナップを揃える必要なく、店舗内装を定期的にリフォームでき、イメージを向上させることができる。
【００３３】
また、この照明システムによれば、面状発光部を、ＬＥＤパネルによって構成している。これにより、この照明システムによれば、照明制御時における面状発光部の発熱を抑えることができ、ショーケース１内の温度を上昇させてしまいにくい。特に、ショーケース１が冷凍、冷蔵を行う必要がある商品のショーケースである場合に、有利な効果を発揮できる。
【００３４】
［第２実施形態］
つぎに、本発明の第２実施形態として示す照明システムについて説明する。なお、上述の第１実施形態と同様の部分については同一符号を付することによりその詳細な説明を省略する。
【００３５】
第２実施形態として示す照明システムは、例えば図４に示すように、複数台のショーケース１−Ａ，・・・，１−Ｋ，・・・，１−Ｎ，・・を備える。この照明システムは、ショーケース１のうち、ユーザが指定したショーケース１のみを対象として発光状態を制御できるものである。この制御のために、例えば図４に示すように、各ショーケース１には、ショーケース１を一意に特定するＩＤ（No.A，・・・，No.K，・・・，No.N，・・・）が付与されている。
【００３６】
統括制御部２１は、表示・操作部２２によって、どのショーケース１を制御対象とするのか、当該制御対象のショーケース１の発光状態をどのように変更するのかを入力できる。具体的には、図５に示すように、表示・操作部２２に、各ショーケース１に対応した選択アイコン２２ａと、色選択部２２ｂとを表示させる。これにより、ユーザによって、制御対象のショーケース１及び当該ショーケース１の発光状態を操作可能とする。統括制御部２１は、制御対象となるショーケース１のＩＤと、当該ショーケース１の発光状態とを含む制御コマンドを生成して、通信部２３からショーケース１に送信する。
【００３７】
ショーケース１は、自己が制御対象である場合に、通信部１３によって制御コマンドを受信する。ショーケース１は、受信した制御コマンドに従って、個別制御部１４が照明器具１５を制御する。
【００３８】
このような照明システムによれば、表示・操作部２２によって、発光状態を変更するショーケース１を選択できるので、ユーザから遠隔で任意のショーケース１における露出壁面１１の発光状態を制御できる。これにより、この照明システムによれば、更にショーケース１による外観の変更に要する時間及び費用を削減できる。
【００３９】
［第３実施形態］
つぎに、本発明の第３実施形態として示す照明システムについて説明する。なお、上述の実施形態と同様の部分については同一符号を付することによりその詳細な説明を省略する。
【００４０】
第３実施形態として示す照明システムは、面状発光部とされた露出壁面１１における発光状態を時間軸に沿って変化させるものである。このために、照明システムは、図６に示すように、統括制御部２１に、スケジュール情報設定部２４と、スケジュール情報記憶部２５とを含む。
【００４１】
スケジュール情報設定部２４は、露出壁面１１における発光状態の時間的な変化を表すスケジュール情報を設定する。スケジュール情報記憶部２５は、スケジュール情報設定部２４により設定されたスケジュール情報を記憶する。また、この照明システムも、露出壁面１１のみならず、商品陳列部１２の照明状態を時間軸に沿って変更可能であってもよい。
【００４２】
スケジュール情報設定部２４は、表示・操作部２２の操作に従って、露出壁面１１の時間軸に対する発光状態を設定する。また、スケジュール情報設定部２４は、表示・操作部２２によって特定のショーケース１及び露出壁面１１の発光状態が選択されることに応じて、ショーケース１ごと、及び、露出壁面１１ごとに、時間軸に対する発光状態を設定する。このように設定されたスケジュール情報は、スケジュール情報記憶部２５に記憶される。
【００４３】
統括制御部２１は、露出壁面１１の発光状態を時間軸に沿って変更する場合に、スケジュール情報に従って、時間軸に同期した順序で制御コマンドをショーケース１に送信する。また、統括制御部２１は、スケジュール情報を、当該スケジュール情報に含まれている露出壁面１１を有するショーケース１に送信してもよい。
【００４４】
これにより、照明システムは、スケジュール情報にしたがって、露出壁面１１の発光状態を時間軸に沿って変更することができる。この照明システムによれば、露出壁面１１における色、明るさを時間軸に沿って変更するのみならず、明るさを増減させることによって、点滅等の状態とできる。これにより、ショーケース１を設けた店舗における場所強調が可能になる。例えば、所定時刻から所定商品のタイムサービスを行う場合に、当該所定商品を陳列したショーケース１の照明状態を、所定時刻から他のショーケース１と異なるものにする。これにより、商品のタイムサービス等を行っているショーケース１を簡単に顧客に認知させることができる。
【００４５】
［第４実施形態］
つぎに、本発明の第４実施形態として示す照明システムについて説明する。なお、上述の実施形態と同様の部分については同一符号を付することによりその詳細な説明を省略する。
【００４６】
第４実施形態として示す照明システムは、図７に示すように、ショーケース１が、統括制御部２１とは独立して、露出壁面１１における発光状態を制御する個別制御部１４’を備えるものである。この個別制御部１４’には、ショーケース１に備えられた操作部１６が接続されている。操作部１６は、ユーザによって操作される。この操作部１６は、例えば露出壁面１１や商品陳列部１２の色、明るさの変更や、点滅制御を指示する操作が行われる。個別制御部１４’は、操作部１６の操作を検出し、当該操作に応じて、照明器具１５を制御する。
【００４７】
個別制御部１４’は、例えば、統括制御部２１から通信部１３を介して送信された制御コマンドと、操作部１６の操作とが競合した場合には、制御コマンドと操作部１６の操作との何れかを優先するよう設定される。
【００４８】
これにより、この照明システムによれば、統括制御部２１によって複数のショーケース１を制御すると共に、個別のショーケース１の発光状態を操作部１６によって制御、調整することができる。したがって、この照明システムは、統括制御部２１によって統括的に多数のショーケース１を制御した上で、特定のショーケース１の照明状態を個別に制御できる。これにより、照明システムは、更にショーケース１による外観の変更に要する時間及び費用を削減できる。
【００４９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００５０】
１  ショーケース
１４、１４’  個別制御部
１５  照明器具
１１  露出壁面（面状発光部、ＬＥＤパネル）
１２  商品陳列部
２１  統括制御部
２２  表示・操作部（選択部）
２５  スケジュール情報記憶部
【図１】
2013059375.tif 000003
【図２】
2013059375.tif 000004
【図３】
2013059375.tif 000005
【図４】
2013059375.tif 000006
【図５】
2013059375.tif 000007
【図６】
2013059375.tif 000008
【図７】
2013059375.tif 000009